(57)【要約】【課題】電線の束をボディパネル等の被固定物に固定するためのプロテクタであって汎用性に富むプロテクタを提供する。【解決手段】前記係合脚３１および前記張出板３４は、前記係合部品３０が前記係合脚３１の軸線に対して９０度ずつ向きを変えた取付姿勢で、それぞれ取付部４０の取付溝４１および差込部４５に差し込み可能な形状をなし、前記凹部３６と前記突部４８とは、前記係合部品３０が前記いずれの取付姿勢であっても、前記張出板３４が前記差込部４５に差し込まれると互いに嵌合して前記張出板３４の前記差込部４５からの引き抜き方向への変位を規制可能な形状をなしている。【選択図】図２
2008301682.tif 000002
【特許請求の範囲】
【請求項１】
電線の束を被固定物に固定するためのプロテクタであって、
前記電線の束に装着されたコルゲートチューブに係合可能な一対の半割部品と、前記半割部品とは別体の部品であって前記半割部品の取付部に取り付け可能であるとともに前記被固定物に形成された被固定孔に係合可能とされた係合部品と、を備え、
前記係合部品は、前記被固定孔に挿入可能な形状をなす係合脚と、前記係合脚が所定位置まで挿入されると前記被固定孔に係合して前記係合脚を抜け止めする弾性係合片と、前記係合脚のうち前記被固定孔に対する挿入方向後端に設けられて同挿入方向と略直交方向に張り出す張出板と、を備え、
前記取付部は、前記係合脚が挿通可能な取付溝が形成されたガイド板と、前記ガイド板との間に前記張出板を挟み込み可能な間隔を空けた位置に設けられるとともに前記ガイド板との間隔を拡開する方向に弾性変位可能とされた弾性板と、を備え、
前記弾性板の前記ガイド板と対向する側の面および前記張出板の前記係合脚が設けられている側とは反対側の面には、凹凸の形態で互いに嵌まり合う嵌合部が設けられており、
前記係合脚は、前記係合部品が前記係合脚の軸線に対して角度を変えた取付姿勢で、前記取付溝に挿通可能な形状をなし、
前記嵌合部は、前記係合部品が前記いずれの取付姿勢であっても、前記張出板が前記ガイド板と前記弾性板との間に形成された差込部に差し込まれると互いに嵌合して同差込部からの前記張出板の引き抜きを規制可能な形状をなしていることを特徴とするプロテクタ。
【請求項２】
前記張出板は略正方形状をなしていることを特徴とする請求項１に記載のプロテクタ。
【請求項３】
前記弾性脚のうち前記取付溝に挿通する部分である挿通部は、前記弾性脚の軸線に略直交方向の断面形状が略正方形状をなしていることを特徴とする請求項１または請求項２に記載のプロテクタ。
【請求項４】
前記嵌合部は、前記弾性板に設けられた突部と前記張出板に設けられた凹部であることを特徴とする請求項１〜請求項３のいずれか１項に記載のプロテクタ。
【請求項５】
前記取付部は前記一対の半割部品の両方に設けられていることを特徴とする請求項１〜請求項４のいずれか１項に記載のプロテクタ。
【請求項６】
前記係合脚には、前記張出板が前記差込部に差し込まれたときに、前記張出板との間に前記ガイド板を挟み込み可能に突出する突出部が設けられていることを特徴とする請求項１〜請求項５のいずれか１項に記載のプロテクタ。
【請求項７】
前記突出部は複数設けられ、前記係合部品が前記いずれの取付姿勢であっても、前記張出板との間に前記ガイド板を挟み込み可能な位置に配されていることを特徴とする請求項６に記載のプロテクタ。
【請求項８】
前記弾性板は、前記半割部品の内側位置において同半割部品の周方向に両持ち状をなして架け渡されていることを特徴とする請求項１〜請求項７のいずれか１項に記載のプロテクタ。
【請求項９】
前記半割部品の両端部が前記コルゲートチューブに係合するチューブ係合部とされ、前記取付部は前記半割部品のうち前記チューブ係合部の間の部分に設けられていることを特徴とする請求項８に記載のプロテクタ。
【請求項１０】
前記一対の半割部品は前記電線の分岐部分に取り付けられるものであり、前記電線の幹線に被さる幹線部と、前記電線の支線に被さる支線部とが一体に形成されてなるものであることを特徴とする請求項１〜請求項９のいずれか１項に記載のプロテクタ。
【請求項１１】
前記取付部は、前記係合部品を前記支線部の軸線方向に沿う方向に差し込んで取り付け可能な構造とされており、前記弾性板の前記突部が設けられた側の面と前記支線部の外面とはほぼ面一に形成されていることを特徴とする請求項１０に記載のプロテクタ。
【請求項１２】
前記取付溝のうち前記係合脚の差込口となる開放端部には、前記係合脚の差し込み方向手前側に向かって前記取付溝の幅寸法を拡開する傾斜をなす係合脚用テーパ面が形成されていることを特徴とする請求項１〜請求項１１のいずれか１項に記載のプロテクタ。
【請求項１３】
前記差込部のうち前記張出板の差込口となる開放縁部には、前記張出板の差し込み方向手前側に向かって前記差込部の開口幅寸法を拡開する傾斜をなす張出板用テーパ面が形成されていることを特徴とする請求項１〜請求項１２のいずれか１項に記載のプロテクタ。
【請求項１４】
前記突部のうち前記係合部品の差し込み方向手前側の面は、同差込方向奥側へ向かって少しずつ突出寸法が大きくなる傾斜の乗り上げ面とされていることを特徴とする請求項４〜請求項１３のいずれか１項に記載のプロテクタ。
【発明の詳細な説明】
【技術分野】
【０００１】
本発明は、電線の束をボディパネル等の被固定物に固定するためのプロテクタに関する。
【背景技術】
【０００２】
従来より、電線の束をボディパネル等の被固定物に固定するためのプロテクタとして、例えば特許文献１のプロテクタが知られている。このプロテクタは、電線の束を覆うコルゲートチューブを間に挟み込んで、このコルゲートチューブに係合する一対の半割部品からなるものであり、そのうち一方の半割部品には、ボディパネルに形成された取付け孔に係合可能な係合脚が設けられている。
【０００３】
係合脚は、ボディパネルの取付け孔に差し込み可能な形状をなして一方の半割部品の外面に突設されている。この係合脚には一対の弾性片が設けられており、係合脚は、一対の弾性片を弾性変形させながら取付け孔に挿入されるとともに、挿入完了時には弾性片が復元変形して取付け孔の孔縁部に係合し、取付け孔からの抜止めがなされる。
【特許文献１】特開平８−１４５２４１号公報
【発明の開示】
【発明が解決しようとする課題】
【０００４】
上記のようなプロテクタは、ボディパネルに対して所定の向きで取り付けられる。したがって、プロテクタをボディパネルに取り付けると自ずと電線の配索方向が決まってしまい、電線の束を所定の方向に配索するためには多種のプロテクタを用意しなければならず、汎用性が低いという問題があった。
【０００５】
本発明は上記のような事情に基づいて完成されたものであって、電線の束をボディパネル等の被固定物に固定するためのプロテクタであって汎用性に富むプロテクタを提供することを目的とする。
【課題を解決するための手段】
【０００６】
本発明は、電線の束を被固定物に固定するためのプロテクタであって、前記電線の束に装着されたコルゲートチューブに係合可能な一対の半割部品と、前記半割部品とは別体の部品であって前記半割部品の取付部に取り付け可能であるとともに前記被固定物に形成された被固定孔に係合可能とされた係合部品と、を備え、前記係合部品は、前記被固定孔に挿入可能な形状をなす係合脚と、前記係合脚が所定位置まで挿入されると前記被固定孔に係合して前記係合脚を抜け止めする弾性係合片と、前記係合脚のうち前記被固定孔に対する挿入方向後端に設けられて同挿入方向と略直交方向に張り出す張出板と、を備え、前記取付部は、前記係合脚が挿通可能な取付溝が形成されたガイド板と、前記ガイド板との間に前記張出板を挟み込み可能な間隔を空けた位置に設けられるとともに前記ガイド板との間隔を拡開する方向に弾性変位可能とされた弾性板と、を備え、前記弾性板の前記ガイド板と対向する側の面および前記張出板の前記係合脚が設けられている側とは反対側の面には、凹凸の形態で互いに嵌まり合う嵌合部が設けられており、前記係合脚は、前記係合部品が前記係合脚の軸線に対して角度を変えた取付姿勢で、前記取付溝に挿通可能な形状をなし、前記嵌合部は、前記係合部品が前記いずれの取付姿勢であっても、前記張出板が前記ガイド板と前記弾性板との間に形成された差込部に差し込まれると互いに嵌合して同差込部からの前記張出板の引き抜きを規制可能な形状をなしていることに特徴を有する。
【０００７】
このような構成によれば、係合部品を取付部に取り付ける際には、係合部品が係合脚の軸線に対して角度を変えたいずれの取付姿勢であっても、取付溝に係合脚が差し込まれるとともに、ガイド板と弾性板との間の差込部に張出板が差し込まれる。そして、嵌合部同士の接触により弾性板がガイド板との間隔を拡開する方向に弾性変位し、張出板が弾性復帰すると同時に嵌合部が嵌合する。こうして張出板は、ガイド板と弾性板との間に挟み込まれるとともに引き抜き方向への変位が規制された状態になり、もって係合部品が取付部に取り付けられた状態で保持される。
このように、係合部品は角度を変えたいずれの取付姿勢であっても取付部に取り付けられるようになっているから、係合部品の向きを任意に選択することができ、汎用性に富むものとすることができる。
【０００８】
前記張出板は略正方形状をなしているものとしてもよい。
また、前記弾性脚のうち前記取付溝に挿通する部分である挿通部は、前記弾性脚の軸線に略直交方向の断面形状が略正方形状をなしているものとしてもよい。
前記嵌合部は、前記弾性板に設けられた突部と前記張出板に設けられた凹部であるものとしてもよい。
【０００９】
前記取付部は前記一対の半割部品の両方に設けられているものとしてもよい。
これにより、一対の半割部品のうちどちらかを選択して係合部品を取り付けることができる。
【００１０】
前記係合脚には、前記張出板が前記差込部に差し込まれたときに、前記張出板との間に前記ガイド板を挟み込み可能に突出する突出部が設けられているものとしてもよい。
これにより、係合部品は、突出部と張出板との間にガイド板が挟み込まれた状態で取付部に取り付けられるから、係合部品と取付部とのがた付きを押さえることができる。
【００１１】
前記突出部は複数設けられ、前記係合部品が前記いずれの取付姿勢であっても、前記張出板との間に前記ガイド板を挟み込み可能な位置に配されているものとしてもよい。
これにより、係合部品をどの姿勢で取り付けても、係合部品と取付部とのがた付きを押さえることができる。
【００１２】
前記弾性板は、前記半割部品の内側位置において同半割部品の周方向に両持ち状をなして架け渡されているものとしてもよい。
このような構成によれば、弾性板を半割部品の外側に形成する場合に比べて、係合部品が取付部に取り付けられた状態での半割部品からの係合部品の突出寸法を小さくすることができ、その分プロテクタの小型化を図ることができる。
【００１３】
前記半割部品の両端部が前記コルゲートチューブに係合するチューブ係合部とされ、前記取付部は前記半割部品のうち前記チューブ係合部の間の部分に設けられているものとしてもよい。
これにより、半割部品のうちコルゲートチューブが収容されない部分、すなわちその分スペースに余裕があるところに取付部が設けられるから、電線の収容率を下げることなくプロテクタの小型化を図ることができる。
【００１４】
前記一対の半割部品は前記電線の分岐部分に取り付けられるものであり、前記電線の幹線に被さる幹線部と、前記電線の支線に被さる支線部とが一体に形成されてなるものとしてもよい。
これにより、係合部品を取り付けない状態では、単に電線の分岐方向を保持するために使用することができ、汎用性に富むものとなる。
【００１５】
前記取付部は、前記係合部品を前記支線部の軸線方向に沿う方向に差し込んで取り付け可能な構造とされており、前記弾性板の前記突部が設けられた側の面と前記支線部の外面とはほぼ面一に形成されているものとしてもよい。
これにより、支線部の外面に張出板を沿わせるようにして係合部品を差し込むことができるから、係合部品を取り付ける際の位置合わせを容易に行うことができる。
【００１６】
前記取付溝のうち前記係合脚の差込口となる開放端部には、前記係合脚の差し込み方向手前側に向かって前記取付溝の幅寸法を拡開する傾斜をなす係合脚用テーパ面が形成されているものとしてもよい。
これにより、係合脚がスムーズに取付溝に差し込まれるから、係合部品の取り付け作業を容易に行うことができる。
【００１７】
前記差込部のうち前記張出板の差込口となる開放縁部には、前記張出板の差し込み方向手前側に向かって前記差込部の開口幅寸法を拡開する傾斜をなす張出板用テーパ面が形成されているものとしてもよい。
これにより、張出板がスムーズに差込部に差し込まれるから、係合部品の取り付け作業を容易に行うことができる。
【００１８】
前記突部のうち前記係合部品の差し込み方向手前側の面は、同差込方向奥側へ向かって少しずつ突出寸法が大きくなる傾斜の乗り上げ面とされているものとしてもよい。
これにより、張出板が突部に引っ掛かることなく乗り上げ面に乗り上げていくから、張出板はスムーズに差込部に差し込まれ、もって係合部品の取り付け作業を容易に行うことができる。
【発明の効果】
【００１９】
本発明によれば、電線の束をボディパネル等の被固定物に固定するためのプロテクタであって汎用性に富むプロテクタを提供することが可能となる。
【発明を実施するための最良の形態】
【００２０】
以下、本発明の実施形態を図１〜図１１によって説明する。
本実施形態におけるプロテクタ１０は、図示しない電線の束を被固定物（図示せず）に固定するためのものであって、電線の束の分岐部分に取り付けられて使用される。プロテクタ１０は、図１および図２に示すように、電線の束の分岐部分に装着された幹線用コルゲートチューブＴ１および支線用コルゲートチューブＴ２に係合可能な一対の半割部品（第一半割部品２０Ａおよび第二半割部品２０Ｂ）と、半割部品２０Ａ，２０Ｂとは別体の部品であってこの半割部品２０Ａ，２０Ｂに取り付け可能であるとともに被固定物に形成された被固定孔（図示せず）に係合可能とされた係合部品３０とを備えている。
幹線用コルゲートチューブＴ１および支線用コルゲートチューブＴ２は、いずれも蛇腹状の円筒形状をなし、電線の束を一括して包囲するものである。
【００２１】
プロテクタ１０は合成樹脂からなり、図３に示すように、電線の束の幹線に被さって幹線用コルゲートチューブＴ１に取り付けられる幹線部１１と、電線の束から分岐した支線に被さって支線用コルゲートチューブＴ２に取り付けられる支線部１２とが一体に形成されてなるものである。プロテクタ１０は、幹線部１１に対して支線部１２が略直角方向に分岐した形態の略Ｔ字形とされ、幹線部１１側から支線部１２側へ電線を挿通可能に連設されている。
【００２２】
幹線部１１および支線部１２は、幹線用コルゲートチューブＴ１および支線用コルゲートチューブＴ２に外嵌可能な円筒状をなしている。支線部１２の外径寸法は、幹線部１１の外径寸法よりも小さい寸法とされている。
【００２３】
幹線部１１の軸方向両端部は、幹線用コルゲートチューブＴ１に係合する幹線用チューブ係合部１３とされ、また支線部１２の軸方向両端部のうち幹線部１１に連設されている側とは反対側の端部は、支線用コルゲートチューブＴ２に係合する支線用チューブ係合部１４とされている。
【００２４】
第一半割部品２０Ａおよび第二半割部品２０Ｂは、図４および図５に示すように、全体として同形状をなしている。
第一半割部品２０Ａのうち幹線用チューブ係合部１３を構成する第一幹線用チューブ係合部２１Ａ、および支線用チューブ係合部１４を構成する第一支線用チューブ係合部２２Ｂには、幹線用コルゲートチューブＴ１および支線用コルゲートチューブＴ２の両側に配されて、それぞれコルゲートチューブＴ１，Ｔ２の溝部に差し込まれて係合する第一リブ２３が一対ずつ設けられている。
【００２５】
また、第一半割部品２０Ａの内周面のうち、各第一リブ２３の間には各コルゲートチューブＴ１，Ｔ２の溝部にそれぞれ差し込み可能な突条部２４が設けられている。
【００２６】
第二半割部品２０Ｂのうち、幹線用チューブ係合部１３を構成する第二幹線用チューブ係合部２１Ｂおよび支線用チューブ係合部１４を構成する第二支線用チューブ係合部２２Ｂには、幹線用コルゲートチューブＴ１および支線用コルゲートチューブＴ２をそれぞれ押さえ込み可能な押さえ込み部２５が設けられている。この押さえ込み部２５には、コルゲートチューブＴ１，Ｔ２の溝部にそれぞれ差し込まれて係合可能とされた第二リブ２６が形成されている。
【００２７】
第一半割部品２０Ａと第二半割部品２０Ｂとはヒンジ部２７を介して連結され、閉じた状態と開いた状態との間で回動可能とされている。また、第一半割部品２０Ａと第二半割部品２０Ｂとはロック部２８によって閉じた状態に保持される。
【００２８】
第一半割部品２０Ａおよび第二半割部品２０Ｂには、係合部品３０を取り付け可能な取付部４０が設けられている。
係合部品３０は、プロテクタ１０とは別体のものであり、被固定孔に挿入可能な形状をなす係合脚３１を備えている（図６参照）。係合脚３１は、全体として被固定孔に対する挿入方向に長い略直方体状をなしている。以後、係合部品３０については、被固定孔に対する挿入方向前方を前側、後方を後側として説明する。
【００２９】
係合脚３１の先端部（被固定孔への挿入方向前端部）には、一対の弾性係合片３２が設けられている。弾性係合片３２は、係合脚３１の先端から後側へ片持ち状をなして延びる細長い板状をなしている。一対の弾性係合片３２は、その自由端側（後端側）へ向かって互いの距離が離れる向きに前端から斜め後方に延出し、自由端が互いに接近する方向に弾性撓み可能とされている。両弾性係合片３２の自由端（後端）には、被固定孔の孔縁部に係止可能な係止部３３がそれぞれ形成されている。
【００３０】
係合脚３１の後端には、張出板３４が設けられている。張出板３４は、係合脚３１の軸線に対して略垂直方向（被固定孔への挿入方向と略直交方向）に張り出す略正方形の板状をなしている（図７参照）。
【００３１】
係合脚３１のうち張出板３４のすぐ前側の部分は、後述する取付部４０の取付溝４１に挿通される挿通部３５とされている。挿通部３５の断面形状（張出板３４の板面と略平行な断面形状）は略正方形状をなしている。挿通部３５は張出板３４の中央位置に設けられ、挿通部３５を縁取る４辺は、それぞれ張出板３４を縁取る４辺に対して平行に配されている。
【００３２】
張出板３４の後面（係合脚３１が突出している側とは反対側の面）には、凹部３６が形成されている。凹部３６は、挿通部３５の断面形状とほぼ等しい略正方形状をなして、張出板３４の板厚寸法のほぼ半分の寸法分だけ窪んでいる（図１０参照）。凹部３６を縁取る４辺は、挿通部３５および張出板３４を縁取る４辺と平行に形成されている。
【００３３】
係合脚３１のうち挿通部３５のすぐ前側の部分には、突出部３７が設けられている。突出部３７は、係合脚３１の軸線を挟んでほぼ対称となる位置に一対ずつ、２組が設けられている。
【００３４】
２組の突出部３７のうち、一対の弾性係合片３２の対向方向と交差方向に突出して設けられた一対の第一突出部３７Ａは、挿通部３５から互いに離れる方向へ等しい寸法だけ張り出す形状している。各第一突出部３７Ａの略後半部分は挿通部３５から一定寸法張り出したブロック状をなし、略前半部分は係合脚３１の先端に向かって挿通部３５からの張り出し寸法が少しずつ小さくなる形状とされている（図１０参照）。
【００３５】
また、２組の突出部３７のうち、一対の弾性係合片３２の対向方向に突出して設けられた一対の第二突出部３７Ｂは、それぞれ弾性係合片３２の側方（対向方向に対して直交方向）にずれた位置に配されている（図７参照）。これにより、両弾性係合片３２は、第二突出部３７Ｂに接触することなく係合脚３１に対して接近方向に弾性撓み可能となっている。
【００３６】
各第二突出部３７Ｂは、各第一突出部３７Ａのブロック状の部分（略後半部分）から突出する形状をなし、その前面は、前方に向かって突出寸法が小さくなる傾斜をなしている（図６参照）。
【００３７】
第一突出部３７Ａおよび第二突出部３７Ｂの後面（張出板３４と対向する面）は、いずれも張出板３４の前面と略平行をなし、両面の間には、後述するガイド板４２の板厚寸法とほぼ等しいか若干大きい寸法の間隔が空けられている。
【００３８】
取付部４０は、第一半割部品２０Ａおよび第二半割部品２０Ｂの両方に設けられている。両取付部４０は同形状をなし、ヒンジ部２７を挟んで対称に配され、第一半割部品２０Ａと第二半割部品２０Ｂとのいずれにも同一形状の係合部品３０を取り付けることが可能とされている。両取付部４０の構造は同一であるため、ここでは第一半割部品２０Ａの取付部４０について説明し、第二半割部品の取付部４０については同一符号を付して重複する説明を省略する。
【００３９】
第一半割部品２０Ａの取付部４０と第二半割部品２０Ｂの取付部４０とは、それぞれ幹線部１１の中央部分（第一幹線用チューブ係合部２１Ａの間、および第二幹線用チューブ係合部２１Ｂの間の部分）に設けられている。
【００４０】
取付部４０は、図５に示すように、係合脚３１が挿通可能な取付溝４１が形成されたガイド板４２を備えている。ガイド板４２は全体として係合部品３０の張出板３４とほぼ等しいか一回り大きい略正方形の板状をなし、第一半割部品２０Ａとほぼ等しい板厚寸法を備えて第一半割部品２０Ａよりも若干外側に張り出す位置に設けられている（図１１参照）。ガイド板４２を縁取る４辺のうちの２辺は、第一半割部品２０Ａのうち幹線部１１を構成する第一幹線部１１Ａの軸線と同方向に形成されている。
【００４１】
取付溝４１は、ガイド板４２の４辺のうち、第一半割部品２０Ａのうち支線部１２を構成する第一支線部１２Ａ側の１辺から反対側（ヒンジ部２７側）の１辺に向かって、第一半割部品２０Ａの周方向（支線部１２の分岐方向）に沿う方向に長い略長方形状に切り欠かれた形態とされている。取付溝４１は、ヒンジ部２７とは反対側に開放されており、この開放端部（取付溝４１の向かい合う両側縁部のうち開放端側の部分）には、開放端側（係合脚３１の差し込み方向手前側）に向かって取付溝４１の短手方向の幅寸法を拡開する傾斜をなす一対の係合脚用テーパ面４３が形成されている。
【００４２】
取付溝４１のうち係合脚用テーパ面４３の形成された部分を除いた部分の短手方向寸法は、係合脚３１の挿通部３５の幅寸法とほぼ等しいかわずかに大きい寸法とされている。係合脚３１は、その軸線に対して９０度ずつ向きを変えて取付溝４１に挿通可能とされている。
【００４３】
ガイド板４２の４辺のうち取付溝４１が切り欠かれた辺を除く３辺は、囲い壁４４を介して第一半割部品２０Ａと連設されている。囲い壁４４は、ガイド板４２の３辺に沿った略正方形をなし、囲い壁４４に囲まれてなる部分には、係合部品３０の張出板３４が９０度ずつ向きを変えても収容可能とされている。この囲い壁４４とガイド板４２と後述する弾性板４９とにより周囲を囲まれてなる空間が、張出板３４が差し込まれて収容される差込部４５とされている。
【００４４】
囲い壁４４の開放端部（張出板３４が差し込まれる側の端部）には、開放端側（張出板３４の差し込み方向手前側）に向かって差込部４５の開口幅寸法を拡開する傾斜をなす一対の囲い壁テーパ面４６が形成されている。また、ガイド板４２のうち取付溝４１の開放端側の縁部（取付溝４１の両側の縁部）には、開放端側（張出板３４の差し込み方向手前側）に向かって差込部４５の開口高さ寸法（内外方向寸法）を大きくする傾斜をなすガイド板テーパ面４７が形成されている。囲い壁テーパ面４６とガイド板テーパ面４７とは、本願発明の張出板３４用テーパ面に該当する。
【００４５】
ガイド板４２の内側には、弾性板４９が設けられている。弾性板４９は、ガイド板４２との間に張出板３４を差込可能な間隔を空けた位置に設けられている。弾性板４９は、第一半割部品２０Ａの内側位置においてこの第一半割部品２０Ａの周方向に両持ち状をなして架け渡された形態をなし、第一半割部品２０Ａの内外方向（ガイド板４２との間隔を拡開する方向）に弾性変位可能とされている。
【００４６】
こうして、弾性板４９を第一半割部品２０Ａの内側に形成したことにより、外側に形成する場合に比べて係合部品３０を第一半割部品２０Ａの内側に引っ込んだ位置に取り付けることが可能となっている。これにより、係合部品３０が取付部４０に取り付けられた状態での第一半割部品２０Ａからの係合部品３０の突出寸法を小さくすることができ、その分プロテクタ１０の小型化を図ることができる。
【００４７】
また、取付部４０は、第一幹線部１１Ａのうち第一幹線用チューブ係合部２１Ａの間の部分（コルゲートチューブＴ１が収容されない部分）、すなわちコルゲートチューブＴ１を収容するだけの余裕スペースがある部分に設けられている。このような余裕スペースを利用することにより、電線の収容率を下げることなくプロテクタ１０の小型化を図ることができる。そして、プロテクタ１０が小型化されることにより、非常に狭いところに電線の束を配索するときにも使用できるから、汎用性が高い。
【００４８】
弾性板４９は、取付溝４１に沿って細長い略長方形の板状をなしている。第一半割部品２０Ａにおける弾性板４９の側方部分、詳しくは弾性板４９と囲い壁４４との間の部分は開口されており、この開口部分をガイド板４２が覆う形態とされている。弾性板４９の外側面（ガイド板４２に面する側の面）は、支線部１２の外面とはほぼ面一に形成されている。
【００４９】
弾性板４９の外側面には、突部４８が設けられている。突部４８は、弾性板４９の長手方向ほぼ中央位置に設けられて、弾性板４９の幅方向にわたる幅寸法を備えている。この突部４８をガイド板４２側から見ると、図５に示すように、幅方向にわずかに大きい略長方形状をなし、その長手方向幅寸法は、凹部３６の幅寸法とほぼ等しいか若干小さい寸法とされている。そして、張出板３４が９０度ずつ向きを変えても凹部３６と突部４８とは嵌合可能とされている。
【００５０】
突部４８のうちヒンジ部２７側の面は、図１０に示すように、弾性板４９の外側面と略垂直をなす係合面４８Ａとされている。係合面４８Ａは、突部４８が凹部３６に嵌合すると、凹部３６の周面に対向して配される。この係合面４８Ａは、張出板３４が９０度ずつ向きを変えても凹部３６の周面に対向して配され、張出板３４はどの向きであっても差込部４５からの引き抜き方向への変位が規制される。
【００５１】
突部４８のうち係合面４８Ａとは反対側の面（係合部品３０の差し込み方向手前側の面）は、係合面４８Ａ側（同差込方向奥側）へ向かって少しずつ突出寸法が大きくなる傾斜をなす乗り上げ面４８Ｂとされている。また、突部４８の突出端面は、弾性板４９の外側面と平行な面とされている。この突出端面は、第一半割部品２０Ａの第一幹線部１１Ａの外面よりも内側に位置している。
【００５２】
次に、電線の束を被固定物に固定する作業について説明する。
ここでは、第一半割部品２０Ａの取付部４０に、係合部品３０を、図２に示すような姿勢（一対の弾性係合片３２が第一幹線部１１Ａの軸方向に対向する姿勢）に取り付ける場合について説明する。
【００５３】
まず、係合部品３０を所定の取付姿勢（一対の弾性係合片３２が第一幹線部１１Ａの軸方向に対向する向きとなる姿勢）にして、張出板３４を第一支線部１２Ａに接近させると、張出板３４が差込部４５と対向して配される。そして、張出板３４を第一支線部１２Ａの外面に沿わせるようにして、係合部品３０を取付部４０側に移動させると、まず張出板３４が差込部４５に差し込まれていく。このとき、第一支線部１２Ａの外面に張出板３４を沿わせるようにして係合部品３０を差し込むことができるから、係合部品３０を取り付ける際の位置合わせを容易に行うことができる。
【００５４】
そして、張出板３４は、ガイド板テーパ面４７と囲い壁テーパ面４６とにより、差込部４５にスムーズに誘い込まれる。また、一対の第二突出部３７Ｂのうち一方の第二突出部３７Ｂがガイド板４２の外側に至り、ガイド板４２が張出板３４と第二突出部３７Ｂとの間に差し込まれていく。
【００５５】
さらに係合部品３０を差し込むと、係合脚３１が取付溝４１に差し込まれていく。このとき、係合脚３１は、係合脚用テーパ面４３によって取付溝４１にスムーズに誘い込まれる。また、張出板３４の一端側が突部４８の乗り上げ面４８Ｂに差し掛かり、少しずつ突部４８に乗り上げていく。
【００５６】
このように、張出板３４および係合脚３１の差し込みがスムーズに行われ、また張出板３４が突部４８に引っ掛かることなく乗り上げ面４８Ｂに乗り上げていくから、係合部品３０の取り付け作業を容易に行うことができる。
【００５７】
張出板３４が弾性板４９の突部４８に乗り上がると、それに伴って弾性板４９が内側（ガイド板４２との間隔を拡開する側）に弾性変位する。また、第二突出部３７Ｂのうち差し込み方向後側に配されている第二突出部３７Ｂがガイド板４２の外側に至り、この第二突出部３７Ｂとガイド板４２との間に張出板３４が差し込まれていく。
【００５８】
係合部品３０が所定位置（張出板３４が差込部４５にすっぽり収容される位置）に達すると、張出板３４の凹部３６の周面のうちヒンジ部２７側の面が突部４８を乗り越えて弾性板４９が弾性復帰し、同時に凹部３６と突部４８とが嵌合する。そして、突部４８の係合面４８Ａが凹部３６の周面と対向した状態になり、張出板３４は、差込部４５に収容され（ガイド板４２と弾性板４９との間に挟み込まれ）、かつ差込部４５からの引き抜き方向への変位が規制された状態となる。また、両第二突出部３７Ｂと張出板３４との間にガイド板４２が挟み込まれた状態となって、係合部品３０と取付部４０とのがた付きが押さえられる。さらに、第二突出部３７Ｂは係合部品３０の対角位置に配されているから、係合部品３０が差し込み方向に傾くことが確実に規制される。こうして、係合部品３０は、取付部４０に取り付けられた状態で保持される。
【００５９】
次に、プロテクタ１０を電線の分岐部分に取り付ける。そして、係合部品３０の係合脚３１を被固定孔に挿入すると、弾性係合片３２が被固定孔の孔縁に摺接して弾性変形し、係合脚３１が所定位置まで挿入されると弾性復帰して、係止部３３が被固定孔の孔縁部に係止し、係合脚３１の抜け止めが図られる。こうして、電線の束が被固定物に固定された状態となる。
【００６０】
なお、本実施形態においては、電線の分岐部分にプロテクタ１０を係合させる前の段階で、係合部品３０をプロテクタ１０に取り付けているが、これに限らず、例えば、プロテクタを電線の分岐部分に取り付けた後に、係合部品３０をプロテクタ１０に取り付けるようにしてもよい。
【００６１】
そして、本実施形態のプロテクタ１０においては、係合部品３０は先述した姿勢だけでなく、その姿勢を任意に選択して取り付けることが可能である。例えば、一対の弾性係合片３２が、第一支線部１２Ａの軸方向に対向して配される姿勢（先述の姿勢に比べて係合部品３０の向きを係合脚３１の軸線に対して９０度変えた姿勢）にして取り付ける場合には、以下のようにして取り付けられる。
【００６２】
係合部品３０を所定の取付姿勢（一対の弾性係合片３２が第一支線部１２Ａの軸方向に対向する向きとなる姿勢）にし、上記と同様、張出板３４を第一支線部１２Ａの外面に沿わせるようにして、係合部品３０を取付部４０側に移動させる。すると、まず張出板３４が差込部４５に差し込まれ、次いで係合脚３１が取付溝４１に差し込まれていく。また、一対の第一突出部３７Ａがガイド板４２の外側に至り、第一突出部３７Ａと張出板３４との間にガイド板４２が差し込まれていく。なお、張出板３４および係合脚３１は、上述したのと同様、ガイド板テーパ面４７、囲い壁テーパ面４６および係合脚用テーパ面４３により、それぞれスムーズに差し込まれる。
【００６３】
さらに係合部品３０を差し込むと、張出板３４が突部４８に引っ掛かることなく乗り上げ面４８Ｂに乗り上がるとともに弾性板４９が内側（ガイド板４２との間隔を拡開する側）に弾性変位する。そして、係合部品３０が所定位置（張出板３４が差込部４５にすっぽり収容される位置）に達すると、張出板３４が弾性復帰し、同時に凹部３６と突部４８とが嵌合する。こうして、張出板３４は差込部４５に収容され（ガイド板４２と弾性板４９との間に挟み込まれ）、かつ差込部４５からの引き抜き方向への変位が規制された状態となる。このとき、両第一突出部３７Ａと張出板３４との間にガイド板４２が挟み込まれた状態となって、係合部品３０と取付部４０とのがた付きが押さえられる。このように、係合部品３０をどの姿勢で取り付けても、第一突出部３７Ａもしくは第二突出部３７Ｂによって、係合部品３０と取付部４０とのがた付きを押さえることができる。こうして、係合部品３０は、取付部４０に取り付けられた状態で保持される。
【００６４】
このようにして、係合部品３０は、係合脚３１の軸線を中心に９０度ずつ向きを変えた、いずれの取付姿勢であっても取付部４０に取り付けられるようになっている。言い換えると、係合部品３０は、係合部品３０の向きを４つの取付姿勢から任意の姿勢を選択して取り付けることができ、汎用性に富むものとすることができる。
【００６５】
また、係合部品３０はいずれの姿勢でも取り付け可能であるから、プロテクタ１０に取り付ける際に、取付部４０に対して定められた唯一の姿勢に正すことなく取り付けることができ、その分手間をかけず取り付けることもできる。
【００６６】
また、係合部品３０は、第一半割部品２０Ａもしくは第二半割部品２０Ｂのうちいずれかを選択して取り付けることが可能である。ここで、いずれか一方にしか係合部品３０を取り付ることができない場合には、例えば、電線の束の長さ方向に複数取り付けられたプロテクタを、順番に被固定物の被固定孔に取付けていく場合等には、係合脚３１が被固定孔とは反対側を向いていたりすると、最悪プロテクタを取り付け直さなければならず手間を要する。しかしながら、本実施形態によれば、係合部品３０を反対側の半割部品に取り付け直すだけでよいから、被固定物にプロテクタを固定する際の融通が利く。
また、係合部品３０を取り付けない状態では、単に電線の分岐方向を保持するために使用することができ、汎用性に富むものとなる。
【００６７】
以上説明したように本実施形態によれば、係合部品３０を取付部４０に取り付ける際には、係合部品３０が係合脚３１の軸線に対して９０度ずつ向きを変えたいずれの取付姿勢であっても、取付溝４１に係合脚３１が差し込まれるとともに、ガイド板４２と弾性板４９との間の差込部４５に張出板３４が差し込まれる。そして、張出板３４が弾性板４９の突部４８に乗り上がると、それに伴って弾性板４９がガイド板４２との間隔を拡開する方向に弾性変位し、係合部品３０が所定位置に達すると張出板３４の凹部３６が突部４８の位置に至って弾性板４９が弾性復帰し、同時に凹部３６と突部４８とが嵌合する。こうして張出板３４は、ガイド板４２と弾性板４９との間に挟み込まれるとともに引き抜き方向への変位が規制された状態になり、もって係合部品３０が取付部４０に取り付けられた状態で保持される。
【００６８】
このように、係合部品３０は９０度ずつ向きを変えたいずれの取付姿勢であっても取付部４０に取り付けられるようになっているから、係合部品３０の向きを任意に選択することができ、汎用性に富むものとすることができる。
【００６９】
＜他の実施形態＞
本発明は上記記述及び図面によって説明した実施形態に限定されるものではなく、例えば次のような実施形態も本発明の技術的範囲に含まれる。
【００７０】
（１）上記実施形態では、このプロテクタ１０は、ヒンジ部２７を介して連結された一対の半割部材２０Ａ，２０Ｂからなるものとされているが、ヒンジ部で連結されていないものであってもよい。
（２）上記実施形態では、プロテクタ１０は、支線部１２が幹線部１１に対して略直角方向に分岐した形態の略Ｔ字形とされているが、これに限らず、プロテクタは、支線部のない円筒形状のものとされていてもよい。また、略直角方向とは異なる方向に分岐するものであってもよく、例えば支線部と幹線部とで略Ｌ字形とされていてもよい。
【００７１】
（３）上記実施形態では、プロテクタ１０の幹線部１１の両端部が別々の幹線用コルゲートチューブＴ１に係合するが、幹線部の軸方向寸法よりも長い寸法を備えた１本のコルゲートチューブに係合するものであってもよい。
（４）上記実施形態では、弾性板４９は、第一半割部品２０Ａの内側位置に設けられているが、第一半割部品２０Ａの外側に設けるようにしても構わない。
【００７２】
（５）上記実施形態では、弾性板４９は両持ち状とされているが、片持ち状とされていてもよい。
（６）上記実施形態では、弾性板４９に突部４８が設けられ、張出板３４に凹部３６が設けられているが、弾性板に凹部が、張出板に突部が設けられていてもよい。
【００７３】
（７）上記実施形態では、張出板３４は略正方形状をなしているが、これに限らず、向きを変えても差込部４５に差し込み可能であればよく、例えば略長方形状をなしていてもよい。
（８）上記実施形態では、係合脚３１の挿通部３５の断面は略正方形状をなしているが、挿通部３５は向きを変えても取付溝４１に挿通可能であればよく、例えば円形であってもよい。
【００７４】
（９）上記実施形態では、取付部４０は一対の半割部品２０Ａ，２０Ｂの両方に設けられているが、いずれか一方のみに設けられていてもよい。
（１０）上記実施形態では、係合脚３１には第一突出部３７Ａおよび第二突出部３７Ｂが設けられているが、これらは設けられていなくてもよい。また、第一突出部のみもしくは第二突出部のみを設けるようにしてもよい。
【００７５】
（１１）上記実施形態では、第一突出部３７Ａおよび第二突出部３７Ｂは一対ずつ設けられているが、それぞれ一ずつ設けられていてもよい。
（１２）上記実施形態では、取付部４０は、係合部品３０を支線部１２の分岐方向に沿う方向に差し込んで取り付け可能な構造とされているが、いずれの方向から差し込む構造としてもよい。
【００７６】
（１３）上記実施形態では、弾性板４９の外面と支線部１２の外面とはほぼ面一に形成されているが、必ずしも面一に形成しなくてもよい。
（１４）上記実施形態では、取付溝４１のうち係合脚３１の差込口となる開放端部には、係合脚用テーパ面４３が形成されているが、このテーパ面は形成されていなくても構わない。
【００７７】
（１５）上記実施形態では、差込部４５のうち張出板３４の差込口となる開放縁部には、囲い壁テーパ面４６およびガイド板テーパ面４７が形成されているが、いずれのテーパ面も形成されていなくてもよく、また一方のテーパ面のみ形成されていても構わない。
【００７８】
（１６）上記実施形態では、突部４８のうち係合部品３０の差し込み方向手前側の面は、差込方向奥側へ向かって少しずつ突出寸法が大きくなる傾斜の乗り上げ面４８Ｂとされているが、必ずしもこのような傾斜をなす面とされていなくてもよい。
（１７）上記実施形態では、係合部品３０は、係合脚３１の軸線を中心に９０度ずつ向きを変えて取付部４０に取り付け可能とされているが、係合部品は向きを変えて取付可能であれば、その軸線に対する角度は何度であってもよく、また等角度ずつ向きを変えるものでなくても構わない。
【図面の簡単な説明】
【００７９】
【図１】本実施形態のプロテクタにおいてコルゲートチューブに第一半割部品が取り付けられた状態を示す外観斜視図
【図２】プロテクタに係合部品が取り付けられた状態を表す外観斜視図
【図３】プロテクタの外観斜視図
【図４】両半割部品が開いた状態のプロテクタを内側から見た平面図
【図５】両半割部品が開いた状態のプロテクタを外側から見た平面図
【図６】係合部品の側面図
【図７】係合部品の平面図
【図８】両半割部品が開いた状態のプロテクタの側面図
【図９】取付部の形状を表すプロテクタの断面図
【図１０】プロテクタに係合部品が取り付けられた状態を表す横断面図
【図１１】プロテクタに係合部品が取り付けられた状態を表す縦断面図
【符号の説明】
【００８０】
Ｔ１、Ｔ２…コルゲートチューブ
１０…プロテクタ
１１…幹線部
１２…支線部
１３…幹線用チューブ係合部（チューブ係合部）
２０Ａ，２０Ｂ…半割部品
３０…係合部品
３１…係合脚
３２…弾性係合片
３４…張出板
３６…凹部（嵌合部）
３７…突出部
４０…取付部
４１…取付溝
４２…ガイド板
４３…係合脚用テーパ面
４５…差込部
４６…囲い壁テーパ面（張出板用テーパ面）
４７…ガイド板テーパ面（張出板用テーパ面）
４８…突部（嵌合部）
４８Ｂ…乗り上げ面
４９…弾性板
【図１】
2008301682.tif 000003
【図２】
2008301682.tif 000004
【図３】
2008301682.tif 000005
【図４】
2008301682.tif 000006
【図５】
2008301682.tif 000007
【図６】
2008301682.tif 000008
【図７】
2008301682.tif 000009
【図８】
2008301682.tif 000010
【図９】
2008301682.tif 000011
【図１０】
2008301682.tif 000012
【図１１】
2008301682.tif 000013